(57)【特許請求の範囲】
【請求項１】
電気掃除機本体へ接続する接続部を一端に備え、他端に前記電気掃除機本体のファンモータ及び床ノズルの回転ブラシの回転を制御する手元部を備えるホースであって、前記手元部の天面に、掃除を終了させるために前記電気掃除機本体のファンモータ及び前記床ノズルの回転ブラシを停止させる操作スイッチＡと、ジュウタン掃除時に前記床ノズルの回転ブラシを高速回転させる操作スイッチＣ及び、前記電気掃除機本体のファンモータを起動させ、且つ床、畳掃除時に前記床ノズルの回転ブラシを低速回転させる操作スイッチＢを設けると共に、前記手元部の側面部に、前記操作スイッチＢ選択時の回転ブラシの低速回転のみを回転停止または回転させるための、「入り」、「切り」の状態を選択可能な操作用スイッチを設け、前記操作用スイッチを「切り」にした状態では、前記操作スイッチＣ選択時に前記床ノズルの回転ブラシを高速回転させ、前記操作スイッチＢ選択時には前記床ノズルの回転ブラシを低速回転させ、また前記操作用スイッチを「入り」にした状態では、前記操作スイッチＣ選択時に前記床ノズルの回転ブラシを高速回転させ、前記操作スイッチＢ選択時には前記床ノズルの回転ブラシの低速回転を回転停止させてなる電気掃除機のホース。
【請求項２】
内部に塵埃を集塵する集塵室とファンモータを備えた電気掃除機本体に、請求項１記載の電気掃除機のホースと連通するように接続される電気掃除機。
【発明の詳細な説明】
【０００１】
【産業上の利用分野】
本発明は、掃除機の入力をホースの手元でコントロールするタイプの家庭用電気掃除機のホースに関するものである。
【０００２】
【従来の技術】
従来、この種の電気掃除機は実開平２−１２２７１４号に開示されたもののように構成されていた。
【０００３】
図５において、手元部１がパイプ２と、手元ケース３からなり、前記パイプ２の上部に設けた電気掃除機本体のファンモ−タ（図示せず）及び、床ノズルの回転ブラシ（図示せず）を制御かつ、起動停止するコントロール基板４を配置し、前記コントロール基板４の上に、電気掃除機本体及び、床ノズルの回転ブラシを起動停止させる操作スイッチ５を内蔵している。前記操作スイッチ５に相対する位置には、手元ケース３の天面６より押し釦７が一体に設けてあり、前記押し釦７に弾性を付与している。前記押し釦７をＡ方向に押すことにより、操作スイッチ５を押し電気掃除機本体及び、床ノズルの回転ブラシを起動停止制御するものである。８は、起動停止制御の為の、表示シートである。
【０００４】
また、図６に示すように床ノズルに設けた回転ブラシ（図示せず）をジュウタン９及び床、畳１０上でも回転させる方式にて回転ブラシの回転停止を行う押し釦７は、手元ケース３の天面に設けられていた。
【０００５】
【発明が解決しようとする課題】
このような従来の電気掃除機の手元部において、使用者が床、畳上を掃除する時に、床ノズルの回転ブラシの回転を止めて使用したい時は、回転ブラシ用の押し釦を切りにして使用していた。また、次にジュウタン上の掃除にうつる時は、再度回転ブラシ用の押し釦を押して回転ブラシを回転させ、かつ、電気掃除機本体の吸込力調整用の押し釦を押す必要があった為使い勝手が悪く、かつ床、畳ポジションのみの回転ブラシの回転を停止することができなかった。
【０００６】
また、前方に床ノズルの回転ブラシの起動停止スイッチがあった時は、操作する指が押し釦まで遠くなり、持ち手の反対側の手を使用しなければならず使用性が悪く、さらに、電気掃除機本体及び、床ノズルの回転ブラシを起動停止の操作がすべて手元部の天面に位置されている為使用者が、電気掃除機本体及び床ノズルの回転ブラシを使い分けて起動停止したい時、意図としていない押し釦を操作してしまったりして不確実であった。
【０００７】
本発明は上記課題を解決するもので、電気掃除機本体及び床ノズルの回転ブラシの起動停止を確実にでき、操作性及び使用性が良い電気掃除機のホースを提供することを目的とする。
【０００８】
【課題を解決するための手段】
上記課題を解消するための本発明の技術的な手段は、電気掃除機本体へ接続する接続部を一端に備え、他端に前記電気掃除機本体のファンモータ及び床ノズルの回転ブラシの回転を制御する手元部を備えるホースであって、前記手元部の天面に、掃除を終了させるために前記電気掃除機本体のファンモータ及び前記床ノズルの回転ブラシを停止させる操作スイッチＡと、ジュウタン掃除時に前記床ノズルの回転ブラシを高速回転させる操作スイッチＣ及び、前記電気掃除機本体のファンモータを起動させ、且つ床、畳掃除時に前記床ノズルの回転ブラシを低速回転させる操作スイッチＢを設けると共に、前記手元部の側面部に、前記操作スイッチＢ選択時の回転ブラシの低速回転のみを回転停止または回転させるための、「入り」、「切り」の状態を選択可能な操作用スイッチを設け、前記操作用スイッチを「切り」にした状態では、前記操作スイッチＣ選択時に前記床ノズルの回転ブラシを高速回転させ、前記操作スイッチＢ選択時には前記床ノズルの回転ブラシを低速回転させ、また前記操作用スイッチを「入り」にした状態では、前記操作スイッチＣ選択時に前記床ノズルの回転ブラシを高速回転させ、前記操作スイッチＢ選択時には前記床ノズルの回転ブラシの低速回転を回転停止させてなるものである。
【０００９】
【作用】
本発明の請求項１記載の発明は、回転ブラシを低速回転させる操作スイッチ選択時にのみ、回転ブラシの回転停止を行なえる操作用スイッチを設けた為、掃除作業中に、床、畳を掃除する時で、回転ブラシの回転を止めたい時は、手元部の側面部に設けた操作用スイッチを切りにして掃除し、次にジュウタンを掃除したい時で回転ブラシを駆動させたい時には、手元部の天面に設けた操作スイッチを入りにして回転ブラシを回転させることができる。次にまた、床、畳を掃除する時で、かつ、吸込力を調整したい時、天面に設けた操作スイッチを押してファンモ−タ−の吸込力を調整することができ、このとき回転ブラシの回転停止を行なう操作用スイッチを切りにしているので回転ブラシが回転することもなく前と同じ状態で掃除作業を保つことができ楽に継続できる。従って回転ブラシの回転をジュウタン掃除時及び床、畳掃除時にて確実に使い分けて使用できる。
【００１０】
本発明の請求項２記載の発明は、内部に塵埃を集塵する集塵室とファンモータを備えた電気掃除機本体に、請求項１記載の電気掃除機のホースと連通するように接続される電気掃除機とするもので使い勝手の良い電気掃除機を提供できる。
【００１１】
【実施例】
以下、本発明の一実施例について図１〜４を参照して説明する。
【００１２】
図に示すように、手元部１１は、吸塵通路１２が形設されたパイプ１３と、前記パイプ１３を覆う手元ケース１４を有し、吸塵通路１２の上流側端部には、着脱自在に延長管１５が接続され、延長管１５の他端には床ノズル１６が着脱自在に接続されている。１７は回転ブラシである。
【００１３】
また、下流側端部にはホース１８が接続され、前記ホース１８の他端は電気掃除機本体１９の吸気口（図示せず）に連結する接続部２０を備えている。
【００１４】
前記手元部１１の内部には、電気掃除機本体１９のファンモータ２１及び、床ノズル１６の回転ブラシ１７の回転制御や起動停止を制御をしているコントロール基板２２を配置し、押さえ板２３のつめ部２４によって固着している。前記コントロール基板２２の上面に回転制御や起動停止を制御する上下移動する操作スイッチ２５を内蔵してあり、後方の操作スイッチ２５Ａは、電気掃除機本体１９及び床ノズル１６の回転ブラシ１７を停止する操作スイッチで、前方の操作スイッチ２５Ｃは、ジュウタン掃除ポジションで掃除する床ノズル１６の回転ブラシ１７を高速回転制御させる起動停止の操作スイッチである。中央の操作スイッチ２５Ｂは、電気掃除機本体１９のファンモータ２１を起動させ、かつ床、畳掃除ポジションで掃除する床ノズル１６の回転ブラシ１７を低速回転制御させる起動の操作スイッチである。下面には床、畳掃除ポジションで使用する回転ブラシの低速回転時のみを回転停止させる左右移動の回転停止スイッチ２６を内蔵している。
【００１５】
前記手元ケース１４の上面には、ポリエステルフィルムからなる表示シート２７であり、操作部以外の部分を接着している。
【００１６】
また、手元ケース１４の前記表示シート２７の下側で、かつ操作スイッチ２５に相対する位置には弾性を付与した押し釦２８が一体に設けてあり、前記押し釦２８を押さえることにより、前記操作スイッチ２５を押さえ掃除機本体１９のファンモータ２１及び、床ノズル１６の回転ブラシ１７の回転制御や起動停止を操作する。
【００１７】
また、前記パイプ１３の側面部に穴２９を設け、前記穴２９と、前記押さえ板２３の間に操作用スイッチ３０を配置し、前記穴２９より凸部３１を突出させ、また前記回転停止スイッチ２６の突部３１を凹状のリブ３２で固定しており、前記操作用スイッチ３０を左右に摺動することにより、前記回転停止スイッチ２６を連動し、床、畳掃除ポジションのみでの前記回転ブラシ１７の回転停止を操作する。
【００１８】
上記構成において、使用者が掃除作業中に、床、畳を掃除する時、回転ブラシ１７の回転を止めたい時は、操作用スイッチ３０を切りにして掃除する。次に、ジュウタンを掃除する時、操作スイッチ２５Ｃの位置にある押し釦２８を入りにして回転ブラシを回転させる。次にまた、床、畳を掃除する時、操作スイッチ２５Ｂの位置にある押し釦２８を押して電気掃除機本体１９の吸込力を調整したりするが、このとき、操作用スイッチ３０を切りにしているので回転ブラシ１７が回転することもなく前と同じ状態で掃除作業を楽に継続できる。従って回転ブラシ１７の回転をジュウタン掃除ポジション及び床、畳掃除ポジションにて回転ブラシ１７の回転停止を使い分けて使用できる。
【００１９】
使用者が、グリップ部３３を片手で使用する時、図４において前記手元ケース１４の天面に配置した前記電気掃除機本体１９のスイッチ２５Ｂを操作し、次に床、畳ポジションで掃除する床ノズル１６の回転ブラシ１７の回転停止を操作する時、操作する持ち手側の親指３４は、操作範囲内で操作用スイッチ３０の操作をし、前記回転ブラシ１７の回転停止ができ、操作性が向上し、かつ手間がなく確実に意図ととしたスイッチを操作できるもので使用性の向上に大いに寄与することができる。
【００２０】
【発明の効果】
本発明によれば、回転ブラシの回転をジュウタン掃除時及び床、畳掃除時にて使い分けて使用でき使用性が向上する。
【図面の簡単な説明】
【図１】  本発明の電気掃除機のホースの一実施例における一部切欠側断面図
【図２】  同電気掃除機のホースにおける電気掃除機の構成図
【図３】  同電気掃除機のホースの断面図
【図４】  同電気掃除機のホースにおける斜視図
【図５】  従来例における電気掃除機のホースの断面図
【図６】  従来例における電気掃除機のホースの平面図
【符号の説明】
１１  手元部
１６  床ノズル
１７  回転ブラシ
１８  ホース
１９  電気掃除機本体
２０  接続部
２１  ファンモータ
２２  コントロール基板
３０  操作用スイッチ
【図１】
0003757422.tif 000002
【図２】
0003757422.tif 000003
【図３】
0003757422.tif 000004
【図４】
0003757422.tif 000005
【図５】
0003757422.tif 000006
【図６】
0003757422.tif 000007